【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
ルーズリーフ頁を保持するためのリングバインダー機構であって、
高分子材料で形成されており、中央部と、該中央部のそれぞれの側縁に沿って下方に延びる側壁部と、を有しており、一定の長さを有しており、バネ力が発生するよう弾力的に変形が可能である、細長いハウジングと、
金属で構成されており、前記高分子のハウジングの前記側壁部同士の間に配置されており、前記高分子のハウジングに対して移動可能なように該ハウジングに支持されており、前記ハウジングの長さの半分より長い、リング支持材と、
前記ルーズリーフ頁を保持するための複数のリングと、を備えており、
該リングの各々は、第１リング部材と第２リング部材とを含んでおり、
前記第１リング部材は、閉位置と開位置との間を前記リング支持材とともに前記ハウジングに対して移動可能なように、前記リング支持材に取り付けられており、
前記閉位置において、前記第１リング部材及び第２リング部材は、前記リングによって保持された前記ルーズリーフ頁を該リングに沿って一方の前記リング部材から他方の前記リング部材へと移動させることができるよう、実質的に連続した閉じたループを形成しており、
前記開位置において、前記第１リング部材及び第２リング部材は、前記リングに前記ルーズリーフ頁を追加したり抜き取ったりできるよう、不連続で開いたループを形成しており、
前記ハウジングのバネ力は、前記第１リング部材がその開位置近傍にあるときは、前記リング支持材を前記第１リング部材の前記開位置の方向に付勢し、前記第１リング部材がその閉位置近傍にあるときは、前記リング支持材を前記第１リング部材の前記閉位置の方向に付勢し、
前記ハウジングのバネ力は、前記リング支持材を移動させるために前記リング支持材に加えられる唯一のバネ力である、
ことを特徴とするリングバインダー機構。
【請求項２】
前記高分子材料は、ＡＢＳ（アクリロニトリルブタジエンスチレン）を含んでいる、
請求項１に記載のリングバインダー機構。
【請求項３】
前記ハウジングの肉厚は、約１．２ｍｍ〜１．８ｍｍである、
請求項２に記載のリングバインダー機構。
【請求項４】
前記ハウジングの肉厚は、前記中央部及び前記側壁部の全体にわたって略均一である、
請求項３に記載のリングバインダー機構。
【請求項５】
前記ハウジングは、一つの前記リングの前記リング部材にかかる力が約２２Ｎ（５ポンド）を超えるまでは、前記リング支持材を閉位置に保持するためのバネ力を、前記リング支持材に対して加えるよう、形成されており、超えた場合には、前記リング支持材は前記開位置へと移動する、
請求項１に記載のリングバインダー機構。
【請求項６】
前記リング支持材は、概略並列関係に配置され且つお互いに対して枢動可能なようにヒンジ結合された、一対の金属のヒンジプレートを、備えている、
請求項１に記載のリングバインダー機構。
【請求項７】
前記ハウジングは、該ハウジングの前記側壁部から内側に向かって突出し、且つ、前記ヒンジプレートを前記ハウジング内で保持するために前記ヒンジプレートの外縁部と係合可能な、ヒンジプレート支持部を、備えている、
請求項６に記載のリングバインダー機構。
【請求項８】
複数の前記ヒンジプレート支持部が、前記ハウジングの各側壁部にある、
請求項７に記載のリングバインダー機構。
【請求項９】
前記ハウジングは、開口を有しており、
前記第１リング部材及び第２リング部材は、前記開口を通って延びており、
前記ヒンジプレート支持部は、前記開口の対向する側に配置されている、
請求項７に記載のリングバインダー機構。
【請求項１０】
金属のヒンジプレートの各々が、少なくとも一つのリブを備えて形成されている、
請求項６に記載のリングバインダー機構。
【請求項１１】
カバーと組み合わされており、前記カバー上に取り付けられており、該カバーは、前記リングバインダー機構に保持されたルーズリーフ頁を選択的に覆い且つ開陳するために動くことが可能なように、ヒンジ構造となっている、
請求項１に記載のリングバインダー機構。
【請求項１２】
前記高分子材料は、少なくとも約５ｋＪ／ｍ２の衝撃強度を有している、
請求項１に記載のリングバインダー機構。
【請求項１３】
ルーズリーフ頁を保持するためのリングバインダー機構であって、
一定の長さを有しており、高分子材料で形成されており、中央部と、該中央部のそれぞれの側縁に沿って下方に延びる側壁部と、を有している、細長いハウジングと、
並列関係に配置され且つお互いに対して枢動可能なようにヒンジ結合された、一対の金属のヒンジプレートを、備えた、リング支持材と、
前記ルーズリーフ頁を保持するための複数のリングと、を備えており、
前記一対のヒンジプレートは、前記高分子のハウジングの前記側壁部の間に配置され、前記ハウジングに対して移動可能なように該ハウジングに支持されており、
前記ヒンジプレートは、前記高分子のハウジングの前記側壁部を係合する縁部を、有しており、
前記ヒンジプレートの長さは、前記ハウジングの長さの半分より長く、
前記リングの各々は、第１リング部材と第２リング部材とを含んでおり、
前記第１リング部材は、閉位置と開位置との間を前記リング支持材とともに前記ハウジングに対して移動可能なように、前記リング支持材に取り付けられており、
前記閉位置において、前記第１リング部材及び第２リング部材は、前記リングによって保持された前記ルーズリーフ頁を該リングに沿って一方の前記リング部材から他方の前記リング部材へと移動させることができるよう、実質的に連続した閉じたループを形成しており、
前記開位置において、前記第１リング部材及び第２リング部材は、前記リングに前記ルーズリーフ頁を追加したり抜き取ったりできるよう、不連続で開いたループを形成しており、
前記ハウジングは、前記ヒンジプレートを前記開位置及び前記閉位置に向かって弾力的に付勢するよう形成されている、
ことを特徴とするリングバインダー機構。
【請求項１４】
前記ハウジングは、該ハウジングの前記側壁部から内側に向かって突出し、且つ、前記ヒンジプレートを前記ハウジング内で保持するため前記ヒンジプレートの外縁部と係合可能な、ヒンジプレート支持部を、備えている、
請求項１３に記載のリングバインダー機構。
【請求項１５】
前記ヒンジプレート支持部の各々は、前記側壁部から、前記ハウジングと交差する方向に延びる、支持面を、有している、
請求項１４に記載のリングバインダー機構。
【請求項１６】
前記ヒンジプレート支持部は、前記ハウジングと一体に、前記高分子材料からなる一部品として形成されている、
請求項１４に記載のリングバインダー機構。
【請求項１７】
複数の前記ヒンジプレート支持部が、前記ハウジングの各側壁部にある、
請求項１６に記載のリングバインダー機構。
【請求項１８】
前記ハウジングは、開口を有しており、
前記第１リング部材及び第２リング部材は、前記開口を通って延びており、
前記ヒンジプレート支持部は、前記開口の対向する側に配置されている、
請求項１４に記載のリングバインダー機構。
【請求項１９】
金属のヒンジプレートの各々が、少なくとも一つのリブを備えて形成されている、
請求項１３に記載のリングバインダー機構。
【請求項２０】
前記ヒンジプレートを前記開位置及び閉位置に向かって弾力的に付勢する前記ハウジング以外に、バネを含まない、
請求項１３に記載のリングバインダー機構。
【請求項２１】
前記高分子材料は、ＡＢＳ（アクリロニトリルブタジエンスチレン）を含んでいる、
請求項１３に記載のリングバインダー機構。
【請求項２２】
前記ハウジングの肉厚は、約１．２ｍｍ〜１．８ｍｍである、
請求項２１に記載のリングバインダー機構。
【請求項２３】
前記ハウジングは、一つの前記リングの前記リング部材にかかる力が約２２Ｎ（５ポンド）を超えるまでは、前記ヒンジプレートを閉位置に保持するためのバネ力を、前記ヒンジプレートに対して加えるよう、形成されており、超えた場合には、前記ヒンジプレートは前記開位置へと枢動する、
請求項１３に記載のリングバインダー機構。
【請求項２４】
カバーと組み合わされており、前記カバー上に取り付けられており、該カバーは、前記リングバインダー機構に保持されたルーズリーフ頁を選択的に覆い且つ開陳するために動くことが可能なように、ヒンジ構造となっている、
請求項１３に記載のリングバインダー機構。
【請求項２５】
前記高分子材料は、少なくとも約５ｋＪ／ｍ２の衝撃強度を有している、
請求項１３に記載のリングバインダー機構。